(57)【特許請求の範囲】
【請求項１】
前記護岸構造物の前記埋立域側の壁面を覆う遮水板と、
前記埋立域を区画するように沿岸水域に構築された護岸構造物の前記埋立域側に造成された護岸裏込め工の表面を覆う遮水シートと、
ここに、前記遮水板と前記遮水シートとは、折り曲げられた一方の端辺が前記遮水板表面に融着され、他方の端辺が該遮水シートと所定の重ね代を設けて前記護岸裏込め工上に敷設された連結シートを介して連結され、
前記遮水板の表面から前記重ね代の位置より遠い位置の前記遮水シート上に設けられた仕切型枠材と、
前記仕切型枠材と前記遮水板との間の前記遮水シート上に充填され固化した熱可塑性止水材と、
折り曲げられた一方の端辺が前記遮水板表面に融着され、他方の端辺が前記仕切型枠材の上面に所定の重なり代を設けて前記熱可塑性止水材の表面全面に接して覆うように敷設された保護シートと、
を備えたことを特徴とする埋立域護岸構造物の遮水構造。
【発明の詳細な説明】
【技術分野】
【０００１】
本発明は埋立域護岸構造物の遮水構造に係り、特に埋立域を囲む護岸構造物の一部に敷設される遮水シートと該護岸構造物との間を確実に遮水できるようにした埋立域護岸構造物の遮水構造に関する。
【背景技術】
【０００２】
従来、廃棄物の埋立地などの埋立域を区画するように構築される護岸構造物では、護岸構造物の一部となるコンクリート製のケーソン等の埋立域側には砕石や捨石等の透水性材による裏込め護岸工が構築されている。これらの裏込め護岸工では捨石工の表面保護や、以後の埋立部分の安定を図るために遮水シートが敷設されたり、アスファルトマスチック、サンドマスチック等の熱可塑性止水材が面状に充填されている。
【０００３】
ところで、ケーソンは鉄筋コンクリート製であるため、コンクリート硬化時に乾燥収縮等によってケーソンの表層部に、躯体の構造に影響しない程度のクラックが発生するおそれがある。万一クラックが発生すると、埋立域に滞留した水がクラックを介して遮水シートの端縁部とケーソン側とを一体化するように結合しているアスファルトマスチック等の止水材を迂回して護岸外部に漏出するおそれがある。
【０００４】
そこで、出願人は、埋立域の水が護岸を透過してその外部に漏出することを確実に防止するために特許文献１に開示したような遮水構造を提案している。特許文献１で開示されたように、ケーソン側の遮水板１６と遮水シート９との間に連結シート２６が設けられている。連結シート２６の一端はケーソン側の遮水板１６に融着され、他端は接着材１１を介して遮水シート９と連結されている。
【先行技術文献】
【特許文献】
【０００５】
【特許文献１】特開２００８−２７９３１６号公報
【発明の概要】
【発明が解決しようとする課題】
【０００６】
ところで、特許文献１に開示された遮水構造では、遮水シート９と連結シート２６との間の接着材１１（たとえばアスファルトマスチック）は一端が開放した状態で設けられているため、遮水シート９上に埋立材が積層されると、接着材がたわんで変形して十分な遮水性能を発揮できないおそれがある。そこで、本発明の目的は上述した従来の技術が有する問題点を解消し、護岸ケーソンと遮水シートとの間の遮水性能を確実に確保できるようにした埋立域護岸構造物の遮水構造を提供することにある。
【課題を解決するための手段】
【０００７】
上記目的を達成するために、本発明は前記護岸構造物の前記埋立域側の壁面を覆う遮水板と、前記埋立域を区画するように沿岸水域に構築された護岸構造物の前記埋立域側に造成された護岸裏込め工の表面を覆う遮水シートと、ここに、前記遮水板と前記遮水シートとは、折り曲げられた一方の端辺が前記遮水板表面に融着され、他方の端辺が該遮水シートと所定の重ね代を設けて前記護岸裏込め工上に敷設された連結シートを介して連結され、前記遮水板の表面から前記重ね代の位置より遠い位置の前記遮水シート上に設けられた仕切型枠材と、前記仕切型枠材と前記遮水板との間の前記遮水シート上に充填され固化した熱可塑性止水材と、折り曲げられた一方の端辺が前記遮水板表面に融着され、他方の端辺が前記仕切型枠材の上面に所定の重なり代を設けて前記熱可塑性止水材の表面全面に接して覆うように敷設された保護シートとを備えたことを特徴とする。
【図面の簡単な説明】
【００１２】
【図１】本発明の埋立域護岸構造物の遮水構造の一実施形態が用いられている埋立域護岸構造物の一部を示した断面正面図。
【図２】本発明の埋立域護岸構造物の遮水構造の一実施形態を示した埋立域護岸構造物の一部断面斜視図。
【図３】図２に示した遮水構造の拡大断面図。
【発明を実施するための形態】
【００１３】
以下、本発明の埋立域護岸構造物の遮水構造の実施するための形態について添付図面を参照して説明する。
【００１４】
図１は、護岸ケーソン１（以下、ケーソン１と記す。）の埋立域側に造成された護岸裏込め工３と、護岸裏込め工３の頂部面３ａと法面３ｂとを覆うように敷設された遮水シートと、埋立材が護岸裏込め工３の上部に積層された埋立層５とを示している。また図２は、図１に示した断面線に沿った埋立域護岸構造物の一部を示している。
【００１５】
ケーソン１は公知の鉄筋コンクリート製函体からなり、複数の同形のケーソン１を図示しない基礎マウンド上で列状に設置して沿岸水域に所定面積、広さからなる埋立域２を区画し、護岸構造物の一部として機能する。
【００１６】
護岸裏込め工３は、ケーソン１の安定化のためと埋立域２の地盤安定のために構築された護岸構造物の支持基礎工として機能する。ケーソン１の埋立域２側の地盤改良層７上に構築されている。図１に示したように、仕様に適合したサイズの捨石を積層して所定勾配の法面を有する略台形断面形状をなすように構築されている。
【００１７】
ケーソン１の裏込め工側（埋立域２側）の側壁１ａ表面全面には高密度ポリエチレン製の遮水板がケーソン１のコンクリートと一体となるように固着されている。この遮水板１１の片面にはアンカー突起が所定間隔をあけて列状をなして形成されている。このためケーソン１の製作時に、この遮水板１１をコンクリート型枠（図示せず）の片側内面に取り付けてコンクリートを打設すると、コンクリート躯体内にアンカー突起１１ａが埋設され、ケーソン１の側壁１ａに遮水板１１が確実に取り付けられる。
【００１８】
遮水板１１に好適な他の素材としては、各種合成ゴム（ＳＢＲ，ＮＢＲ，ＥＰＤＭ，ＣＲ）や天然ゴム（ＮＲ）の他、密着性、伸縮性、耐圧性、耐候性等の面からポリ塩化ビニル系材料等の合成樹脂製品があり、これらを適宜選択して使用することができる。
【００１９】
さらに図１、図２に示したように、護岸裏込め工３の法面３ｂから頂部面３ａにかけて、略台形断面上に積層された捨石を覆うように遮水シート１０が敷設されている。この遮水シート１０はこの遮水シート１０上に積層される埋立材４から浸出した水が護岸裏込め工３内に浸入するのを防止するために敷設されている。遮水シート１０には、低密度ポリエチレンシート（厚さ３ｍｍ）を芯材として上下面に不織布が敷設されている。遮水シート１０は、護岸裏込め工３の裏込め材料の表面に不織布が接するように敷設されるため、大きな静止摩擦力と、緩衝作用が得られる。遮水シート１０に好適な他の素材としては、不織布とポリ塩化ビニル（ＰＶＣ）製遮水シートとの積層シート、熱可塑性系エラストマー（ＴＰＥ）遮水シート、高密度ポリエチレン系遮水シート（ＨＤＰＥ）の単体シート等があり、これらを適宜選択して使用することができる。
【００２０】
遮水シート１０のケーソン１側の端辺は図２、図３に示したように、ケーソン側壁１ａに沿った細長帯状をなす連結シート２０を介してケーソン側壁１ａの遮水板１１に定着されている。遮水シート１０と連結シート２０の間は重ねしろを確保して重ね合わされている。連結シート２０は図３に示したように、断面形状が略Ｌ字形をなすように端辺が折り曲げられ、短辺部分２０ａがケーソン側壁１ａを構成する遮水板１１に堅固に融着されている。本発明では、連結シート２０としての変形追従性を備えた素材が使用されている。本実施形態において、連結シート２０の寸法は幅Ｌ１＝２２５０ｍｍ、遮水シート１０とのラップ長Ｌ２＝１２５０ｍｍに設定されている。これらの寸法は、ケーソン１と護岸裏込め工３とが外力によってずれたりした際に、連結シート２０が変位に追従して変形しても、遮水性を保持できるような長さの範囲で設定することが好ましい。たとえば幅Ｌ１はＬ１＝８００〜３５００ｍｍ、ラップ長Ｌ２はＬ２＝５００〜２５００ｍｍ程度とすることが好ましい。
【００２１】
さらに、遮水シート１０と連結シート２０とのラップ部分を覆うように、仕切型枠材２１とケーソン側壁１ａ側との間の区画された空間に熱可塑性止水材２５が充填されている。本発明ではこの熱可塑性止水材２５としてアスファルトマスチック２５が用いられている。アスファルトマスチック２５は溶融状態で充填されるが、充填後に所定の固化強度を発揮した後も十分な変形追従性を有するようにアスファルト、フィラー、骨材の材料配合を設定することが好ましい。
【００２２】
本発明の実施形態においては、溶融状態のアスファルトマスチック２５は、図３に拡大して示したように、遮水シート１０上の所定位置に固着された仕切型枠材２１とケーソン１側の遮水板１１との間の空間に充填され、図示したように遮水シート１０上面と連結シート２０の一部とに密着した状態で粘弾性体としての機能を保持して固化する。本実施形態では仕切型枠材２１として長方形断面からなるコンクリートブロックが用いられている。この仕切型枠材２１として好適な他の素材としては海中において劣化の進行することのない材質が好ましく、鋼材、石材等があげられる。
【００２３】
さらにこの熱可塑性止水材（アスファルトマスチック）２５の上面を覆うように、保護シート２２が設けられている。この保護シート２２は図３に示したように、その上部に積層された石材等の埋立材４がアスファルトマスチック２５内への落ち込むのを防止するために敷設されている。本実施形態では厚さ３ｍｍ、幅Ｌ３＝３７５０ｍｍの細長帯状の低密度ポリエチレン製シートが用いられている。保護シート２２は、断面形状が略Ｌ字形をなすように端辺が折り曲げられ、短辺部分がケーソン側壁１ａを構成する遮水板１１に堅固に融着されている。一方の端部は、仕切型枠材２１の上面に所定の重ねしろを設けて端部を重ねるようにして敷設されている。この設置状態において、護岸裏込め工３が変位してケーソン１側の遮水板１１と遮水シート１０の端辺との間が当初の離れより広がるように拡大しても、保護シート２２がアスファルトマスチック２５に対して十分な変形追従性を示して変形するため、遮水性能は確実に保持される。なお、幅Ｌ３は、熱可塑性止水材（アスファルトマスチック）の充填範囲に応じて適宜設定することが好ましく、たとえばＬ３＝８００〜４０００ｍｍとすることが好ましい。
【００２４】
なお、本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００２５】
１  ケーソン
２  埋立域
３  護岸裏込め工
４  埋立材
５  埋立層
１０  遮水シート
７  地盤改良層
１１  遮水板
２０  連結シート
２１  仕切型枠材
２２  保護シート
【図１】
0006771933.tif 000002
【図２】
0006771933.tif 000003
【図３】
0006771933.tif 000004